(57)【要約】【課題】従来技術で使用していたリード線と不確実な接合の廃止を行うことを目的とする。【解決手段】待機中の静電気を帯びた人間の手や同等の物品が最も外側にある金属装飾鋼板１に近接または接触すると、静電気による電荷は樹脂成形基台２に設けられた貫通孔２−１の付近に導かれ、この貫通孔ー１を空気ギャップとする放電経路を介して導電部３−１に放電する。放電された電荷は銅箔パターン３−２→ビス６→メインシャーシ４（接地電位）と放電される。このように、発生した静電気を導電部材に導き、さらにそれをシャーシにまで逃がすことにより、基板上の回路部品を破壊から守ることができる。また、リード線７  （図１参）を廃止できることで、コストダウンや、ハンダ付けを廃止でき作業時間の短縮やハンダの剥がれ等が期待できる。【選択図】  図２
2005019217.tif 000002
【特許請求の範囲】
【請求項１】
機器本体の外面に形成される金属装飾パネルと、
前記金属装飾パネルの裏面を支持する樹脂成形基台と、
前記樹脂成形基台の背面に配置された基板とを、
備える金属装飾パネルを有する電子機器において
前記樹脂成形基台に設けられる複数の貫通孔と、前記基板の表面上の前記貫通孔に対向する位置に盛り上げるように設けられた放電用導電部と、該放電用導電部とメインシャーシとを電気的に接続して接地する導電部接地手段とを備える金属装飾パネルを有する電子機器。
【請求項２】
前記放電用導電部は、複数の導電部で構成されている請求項１に記載の金属装飾パネルを有する電子機器。
【請求項３】
前記導電部は、前記基板に金属部品を取り付けその表面を電極パターンで覆って構成されている請求項１に記載の金属装飾パネルを有する電子機器。
【発明の詳細な説明】
【０００１】
【発明の属する技術分野】
この発明は、金属製の装飾パネルを有する電子機器全般、  例えばＣＤ，ＭＤ，ＤＶＤのプレーヤーあるいはレコーダー等のＡＶ機器に関するものである。
【０００２】
【従来の技術】
金属製の装飾パネルを有する従来のＡＶ機器においては、人の手が金属製の装飾パネルに頻繁に触れるため、静電気が飛び易く、  操作者には不快感を与える。その一方、ＡＶ機器の装飾パネルや制御装置の構成部品の電気的性能を破壊し易いという問題がある。この現象は静電気放電が引き起こすトラブルの一種であり、「静電破壊」と呼ばれ、特に乾燥期たる冬季に起こり易い。
【０００３】
そこで従来は、図１に示すような、リード線を用いて放電させる構成を用いていた（例えば特許文献１参照。）。
【０００４】
図１の構成では、リード線７の一端を当該ＡＶセットのメイングランドであるシャーシ４の一部の突起部４−１でビス６により固定しており、リード線７の他端を金属装飾鋼板１にハンダ８でハンダ付けしている。これにより金属鋼板１に帯電した静電気を放電していた。なお、同図において１は金属装飾鋼鈑、２は樹脂成形基台、３はディスプレイ基板、４は筐体の下部を構成するメインシャーシ、４−１はシャーシに設けられたリード線接地用の突起部、６はビス、７はリード線、８はハンダである。
【０００５】
【特許文献１】
特開昭６３−２１８８号公報
【０００６】
【発明が解決しようとする課題】
ところが、図１の構成では、リード線７が必要であり、またリード線７を金属装飾鋼板１に接合するときハンダ８などが必要であるため、コストアップや接合不安定によるハンダの剥がれ落ちの不具合などが生じていた。
【０００７】
この発明の目的は、前記従来技術で使用していたリード線がなくとも、静電気を確実に放電できる構造を提供することにある。
【０００８】
【課題を解決するための手段】
この発明は、機器本体の外面に形成される金属装飾パネルと、
前記金属装飾パネルの裏面を支持する樹脂成形基台と、
前記樹脂成形基台の背面に配置された基板とを、
備える金属装飾パネルを有する電子機器において
前記樹脂成形基台に設けられる複数の貫通孔と、前記基板の表面上の前記貫通孔に対向する位置に盛り上げるように設けられた放電用導電部と、該放電用導電部とメインシャーシとを電気的に接続して接地する導電部接地手段とを備えることを特徴としている。
【０００９】
この構成では、手を触れる事などで金属装飾パネルに流れようとする静電気による電荷は、貫通孔２−１を空気ギャップとする放電経路を介して放電される。そして該静電気の電荷は導電部を通り、該放電用導電部と電気的に接続しているメインシャーシに導かれ、アースへと逃がされる。これにより基板上の回路部品を破壊から守ることができる。
【００１０】
この発明では、前記放電用導電部は、複数の導電部で構成されている請求項１に記載の金属装飾パネルを有することを特徴としている。
【００１１】
この構成では、一つの導電部の面積が小さくなるため導電部全体として平面的にならないようにできる。
【００１２】
この発明では、前記導電部は、前記基板に金属部品を取り付けその表面を電極パターンで覆って構成されていることを特徴としている。
【００１３】
この構成では、導電部の高さを銅箔パターンだけで凸形状を形成するよりも高く形成できる。これにより、金属装飾版からの放電をより確実化できる。
【００１４】
【発明の実施の形態】
以下に、  本発明の実施形態に係る金属装飾パネルを有する電子機器について図面を参照しつつ詳細に説明する。
【００１５】
図２は当該装置の側面図であり、金属装飾鋼板１、樹脂成形基台２、ディスプレイ基板３、筐体の下部を構成するメインシャーシ４、電気部品５、結合用ビス６とから構成されている。
【００１６】
金属装飾パネルに対応する薄い金属装飾鋼鈑１は樹脂成形基台２の前面に両面テープまたは接着剤で貼り付けられており、この樹脂成形基台２と金属装飾鋼鈑１は、筐体の下部を構成するメインシャーシ４に固定されている。樹脂成形基台２は、金属装飾鋼板１の全領域において規則的な配列で貫通孔２−１を有する。図示しないディスプレイの駆動信号を生成するディスプレイ基板３は、樹脂成形基台２の背面側でかつ樹脂成形基台２に平行に固定されている。そして、ディスプレイ基板３は前面と後面に銅箔パターンを７を有し、前面には電子部品５が取り付けられている。このディスプレイ基板３は本発明の基板に対応する。また、ディスプレイ基板３の表面には、  樹脂成形基台２の貫通孔２−１に対向する位置に銅箔パターンよりも盛りあがった導電部３−１が形成されている。更に、基板両面に銅箔パターンの形成されたディスプレイ基板３は、それぞれを導通させるスルーホールが形成されており、また、接地電位にあるメインシャーシ４とビス６により固定されている。上記導電部３−１は本発明の放電用導電部に対応する。
【００１７】
一般的に待機中の静電気を帯びた人間の手や同等の物品が最も外側にある金属装飾鋼板１に近接または接触すると、静電気による電荷は樹脂成形基台２に設けられた貫通孔２−１の付近に導かれ、この貫通孔ー１を空気ギャップとする放電経路を介して導電部３−１に放電する。放電された電荷は銅箔パターン３−２→ビス６→メインシャーシ４（接地電位）と放電される。
【００１８】
上記の実施形態によれば、発生した静電気を導電部に導き、さらにそれをシャーシにまで逃がすことにより、基板上の回路部品を破壊から守ることができる。また、リード線７  （図１参）を廃止できることで、コストダウンや、ハンダ付けを廃止でき作業時間の短縮やハンダの剥がれ等が期待できる。
【００１９】
導電部３−１は、放電がしやすいよう、頂部が凸状であるのが望ましい。この様な形状にするには導電部３−１を例えば図３のように多点導電部とする。多点導電部の銅箔平面パターンは、例えば図４のようにする。多点導電部とすることで一つの導電部の面積が小さくなるため導電部全体として平面的にならないようにできる。
又、  導電部３−１は図５のようにディスプレイ基板に金属部品９を取り付け、その表面を銅箔パターンで覆うようにしても良い。このような構成では、金属部品９を銅箔パターンで覆うようにしているので、導電部の高さを銅箔パターンだけで凸形状を形成するよりも高く形成できる。これにより、金属装飾鋼鈑１からの放電をより確実化できる。なお、金属部品９を用いる場合は、この表面を銅箔パターンで覆わなくても良い。
【００２０】
上記実施例では貫通孔２−１は全領域において規則的な配列で形成するが必ずしも規則的である必要はなく、任意に形成しても良い。
【００２１】
【発明の効果】
手を触れる事などで金属装飾パネルに流れようとする静電気による電荷は、貫通孔２−１を空気ギャップとする放電経路を介して放電される。そして該静電気の電荷は導電部を通り、該放電用導電部と電気的に接続しているメインシャーシに導かれ、アースへと逃がされる。これにより基板上の回路部品を破壊から守ることができる。
【００２２】
また、導電部を多点導電部とすることで一つの導電部の面積が小さくなるため導電部全体として平面的にならないようにできる。
【００２３】
さらに、ディスプレイ基板に金属部品を取り付け、その表面を銅箔パターンで覆うと、導電部の高さを銅箔パターンだけで凸形状を形成するよりも高く形成できる。これにより、金属装飾版からの放電をより確実化できる。
【図面の簡単な説明】
【図１】金属装飾パネルを有する電子機器の従来技術の側面断面図
【図２】本発明の実施形態である金属装飾パネルを有する電子機器の側面断面図
【図３】導電部３−１を多点導電部とした場合の部分側面断面図
【図４】多点導電部の拡大平面図
【図５】導電部３−１に金属部品を用いた場合の部分側面断面図
【図１】
2005019217.tif 000003
【図２】
2005019217.tif 000004
【図３】
2005019217.tif 000005
【図４】
2005019217.tif 000006
【図５】
2005019217.tif 000007